(57)【特許請求の範囲】
【請求項１】
（ａ）剛性のパネルにて構成されたホイールアーチ部に貫通孔が設けられてなるフェンダーライナー本体と、（ｂ）該ホイールアーチ部のタイヤ側とは反対側となる上側の面に対して振動可能に固着されて、該ホイールアーチ部の上側の面側に位置する音源から発せられる音の周波数に共振する膜状又は板状の振動体を与えるシート部材と、（ｃ）前記ホイールアーチ部の上側の面側に、該ホイールアーチ部と前記シート部材とに囲まれて形成されて、該ホイールアーチ部に設けられた前記貫通孔を通じて、該ホイールアーチ部のタイヤ側となる下側の外部に連通する空気室とを備え、且つ前記シート部材に凹部が設けられると共に、該凹部が、該ホイールアーチ部の上側の面にて閉塞されて、前記貫通孔を通じて該ホイールアーチ部の下側の外部に連通するように、該シート部材が、該ホイールアーチ部の上側の面に固着されていることにより、前記空気室が、該凹部と該凹部を閉塞する該ホイールアーチ部の部分にて形成されていることを特徴とする車両用フェンダーライナー。
【請求項２】
前記貫通孔が、前記フェンダーライナー本体のホイールアーチ部に複数設けられる一方、前記空気室が、互いに独立して複数形成されている請求項１に記載の車両用フェンダーライナー。
【請求項３】
パネル状のホイールアーチ部を有するフェンダーライナー本体を備えた車両用フェンダーライナーに対し、その両側の面側に伝わる音を吸収する車両の吸音構造であって、
前記フェンダーライナー本体として、前記ホイールアーチ部に貫通孔が設けられた剛性のパネルが用いられると共に、かかるホイールアーチ部のタイヤ側とは反対側となる上側の面に対して、該ホイールアーチ部の上側の面側に位置する音源から発せられる音の周波数に共振する膜状又は板状の振動体を与えるシート部材が振動可能に固着され、更に、該ホイールアーチ部の上側の面側に、該ホイールアーチ部と該シート部材とにて囲まれて、前記貫通孔を通じて、該ホイールアーチ部のタイヤ側となる下側の外部に連通する空気室が設けられている一方、前記シート部材に凹部が設けられると共に、該凹部が、前記ホイールアーチ部の上側の面にて閉塞されて、前記貫通孔を通じて該ホイールアーチ部の下側の外部に連通するように、該シート部材が、該ホイールアーチ部の上側の面に固着されていることにより、前記空気室が、該凹部と該凹部を閉塞する該ホイールアーチ部の部分にて形成されていることを特徴とする車両の吸音構造。
【発明の詳細な説明】
【技術分野】
【０００１】
本発明は、車両用フェンダーライナーと車両の吸音構造とに係り、特に、車室外の音源から発せられる音を吸収可能な構造を備えた車両用フェンダーライナーの改良と、車室外の音源から発せられる音を吸収して、かかる音の車室内への伝達を防止する車両の吸音構造の改良とに関する。
【背景技術】
【０００２】
従来から、自動車等の車両においては、車室内の静粛性を高めるために、様々な吸音乃至は防音構造が付与されている。例えば、排気管等に消音器を取り付けたり、エンジンルームと車室とを仕切るダッシュパネル等のパネル状本体を有する外装品に吸音材を固着したりすること等によって、エンジン音や吸・排気音等の車室内への伝達が防止されるようになっている。
【０００３】
ところで、車両用外装品の中には、互いに異なる別個の音源に挟まれて、配置されるものがある。例えば、車体のホイールハウス内に取り付けられるフェンダーライナーは、それの下側に位置するタイヤと、それの上側に位置するエンジンルーム内のエンジンとの間に挟まれて、配置される。このようなフェンダーライナーにあっては、タイヤの路面との転がり接触によって発生するパターンノイズやロードノイズと、エンジンルーム内から伝わるエンジン音の両方に対して、十分な吸音性能を発揮することが要求される。
【０００４】
かかる状況下、例えば、特開２００３−１１２６６１号公報（特許文献１）等には、不織布を用いた車両用外装品が提案されている。このような外装品にあっては、不織布が有する網目状構造により、外装品の厚さ方向両側から伝わる音に対して、それぞれ吸音効果が得られるようになっている。
【０００５】
ところが、不織布からなる外装品では、その一方の面側と他方の面側とにおいて、互いに異なる周波数領域の吸音特性が発揮されるように構成することが不可能であった。それ故、そのような不織布からなる従来の外装品にあっては、それを間に挟んで両側に位置する別個の音源からの周波数の異なる音に対して、それぞれ十分な吸音効果を得ることができなかった。しかも、不織布からなる外装品は、剛性が低く、そのため、自動車に装着されたときに、風圧等の外力によって、比較的に容易に変形してしまう恐れがある。従って、そのような外装品は、風圧等の外力の影響が大きな、例えば、前輪側のフェンダーライナー等への適用が難しく、そのために、適用範囲が制限されてしまうといった問題をも有していたのである。
【０００６】
なお、十分な剛性を有する樹脂製や金属製の本体の両面に、互いに異なる周波数領域の吸音特性を発揮する別個の吸音材をそれぞれ固着して、外装品を構成すれば、上記の不織布からなる従来の外装品において生ずる問題が、悉く解消され得る。しかしながら、そうした場合には、外装品の部品点数が多くなって、製作工程の煩雑化やコストアップの問題が生ずる。また、外装品をフェンダーライナーとして用いる場合には、タイヤ側に固着される吸音材に対して、タイヤによって跳ね上げられた小石等の衝突や泥水及び氷雪の浸透等によって受けるダメージに耐え得るような表面加工を施す必要があり、その分だけ、製作性が低下し、コスト高となる。しかも、そのような表面加工によって、吸音性能が低下する可能性もあるのである。
【先行技術文献】
【特許文献】
【０００７】
【特許文献１】特開２００３−１１２６６１号公報
【発明の概要】
【発明が解決しようとする課題】
【０００８】
ここにおいて、本発明は、上述せる如き事情を背景にして為されたものであって、その解決課題とするところは、一方の面と他方の面とにおいて互いに異なる周波数領域の吸音特性がそれぞれ高度に発揮され、しかも、そのような吸音特性を発揮する構造が、フェンダーライナーとしての適用範囲の制限無しに、簡略な製作工程で、しかも低コストに実現され得る車両用フェンダーライナーを提供することにある。また、本発明にあっては、車両用フェンダーライナーに対して、その両側から伝わる、互いに異なる周波数領域の音が、より有利に吸収され得る車両の吸音構造を提供することをも、その解決課題とするものである。
【課題を解決するための手段】
【０００９】
そして、本発明にあっては、上記した車両用フェンダーライナーに係る課題の解決のために、（ａ）剛性のパネルにて構成されたホイールアーチ部に貫通孔が設けられてなるフェンダーライナー本体と、（ｂ）該ホイールアーチ部のタイヤ側とは反対側となる上側の面に対して振動可能に固着されて、該ホイールアーチ部の上側の面側に位置する音源から発せられる音の周波数に共振する膜状又は板状の振動体を与えるシート部材と、（ｃ）前記ホイールアーチ部の上側の面側に、該ホイールアーチ部と前記シート部材とに囲まれて形成されて、該ホイールアーチ部に設けられた前記貫通孔を通じて、該ホイールアーチ部のタイヤ側となる下側の外部に連通する空気室とを備え、且つ前記シート部材に凹部が設けられると共に、該凹部が、該ホイールアーチ部の上側の面にて閉塞されて、前記貫通孔を通じて該ホイールアーチ部の下側の外部に連通するように、該シート部材が、該ホイールアーチ部の上側の面に固着されていることにより、前記空気室が、該凹部と該凹部を閉塞する該ホイールアーチ部の部分にて形成されていることを特徴とする車両用フェンダーライナーを、その要旨とするものである。
【００１０】
なお、本発明に従う車両用フェンダーライナーの好ましい態様の一つによれば、前記貫通孔が、前記フェンダーライナー本体のホイールアーチ部に複数設けられる一方、前記空気室が、互いに独立して複数形成される。
【００１３】
そして、本発明にあっては、前記した車両の吸音構造に係る課題の解決のために、パネル状のホイールアーチ部を有するフェンダーライナー本体を備えた車両用フェンダーライナーに対し、その両側の面側に伝わる音を吸収する車両の吸音構造であって、前記フェンダーライナー本体として、前記ホイールアーチ部に貫通孔が設けられた剛性のパネルが用いられると共に、かかるホイールアーチ部のタイヤ側とは反対側となる上側の面に対して、該ホイールアーチ部の上側の面側に位置する音源から発せられる音の周波数に共振する膜状又は板状の振動体を与えるシート部材が振動可能に固着され、更に、該ホイールアーチ部の上側の面側に、該ホイールアーチ部と該シート部材とにて囲まれて、前記貫通孔を通じて、該ホイールアーチ部のタイヤ側となる下側の外部に連通する空気室が設けられている一方、前記シート部材に凹部が設けられると共に、該凹部が、前記ホイールアーチ部の上側の面にて閉塞されて、前記貫通孔を通じて該ホイールアーチ部の下側の外部に連通するように、該シート部材が、該ホイールアーチ部の上側の面に固着されていることにより、前記空気室が、該凹部と該凹部を閉塞する該ホイールアーチ部の部分にて形成されていることを特徴とする車両の吸音構造をも、また、その要旨とするものである。
【発明の効果】
【００１４】
すなわち、本発明に従う車両用フェンダーライナーにあっては、パネルからなるフェンダーライナー本体のホイールアーチ部の一方の面側から伝わる音を膜状又は板状の振動体の振動によって吸収する振動型吸音器と、その他方の面側から伝わる音を空気室内で共鳴させることによって吸収するヘルムホルツ型共鳴器（吸音器）とが形成されている。そして、振動型吸音器は、例えば、振動体の厚さや大きさ、材質等を適宜に変更することで、振動体の共振周波数を容易に変更できる。また、ヘルムホルツ型共鳴器は、例えば、フェンダーライナー本体のホイールアーチ部に設けられる貫通孔の大きさや軸方向長さ等を適宜に変更することで、空気室内の空気の共鳴周波数（共振周波数）を容易に変更できる。このため、振動型吸音器とヘルムホルツ型共鳴器のそれぞれの共振乃至は共鳴周波数を、それぞれ任意の値に、独立してチューニングすることができる。
【００１５】
それ故、本発明に係る車両用フェンダーライナーでは、互いに異なる別個の音源に挟まれて配置される場合に、それら別個の音源から伝わる周波数領域の異なる音を、振動型吸音器とヘルムホルツ型共鳴器とによって、それぞれ十分に且つ確実に吸収することができる。
【００１６】
また、本発明に従う車両用フェンダーライナーは、フェンダーライナー本体（ホイールアーチ部）が剛性のパネルからなっているところから、例えば、不織布を用いて形成された従来の車両用フェンダーライナーとは異なって、車両への設置状態下で、風圧等の外力によって変形することが効果的に防止され得る。このため、車両用フェンダーライナーとしての適用範囲（使用範囲）が、例えば、風圧等の外力の影響が小さいところに設置されるもの等に、何等制限されることがない。
【００１７】
さらに、本発明に係る車両用フェンダーライナーは、剛性のフェンダーライナー本体のホイールアーチ部と、かかるホイールアーチ部の一方の面に固着された振動体の二部品からなっている。それ故、剛性のフェンダーライナー本体の両面に、不織布等からなる吸音材をそれぞれ固着された、少なくとも三部品からなるフェンダーライナーに比して、部品点数が有利に削減され、それによって、製造工程の簡略化と低コスト化とが、共に有利に図られ得る。その上、例えば、フェンダーライナーに適用する場合にあっても、振動体をフェンダーライナー本体（ホイールアーチ部）のタイヤ側とは反対側の面に固着すれば、剛性のフェンダーライナー本体（ホイールアーチ部）のタイヤ側の面は勿論、振動体に対しても、タイヤによって跳ね上げられた小石等の衝突や泥水及び氷雪の浸透等によって受けるダメージに耐え得るような加工を、何等施す必要がない。
【００１８】
従って、かくの如き本発明に従う車両用フェンダーライナーにあっては、一方の面と他方の面とにおいて、互いに異なる周波数領域の吸音特性が、それぞれ高度に発揮され得るのであり、しかも、そのような優れた吸音特性を発揮する構造が、フェンダーライナーとしての適用範囲に制限が加えられることもなしに、簡略な製作工程で、しかも低コストに実現され得るのである。
【００１９】
そして、本発明に従う車両の吸音構造によれば、本発明に係る車両用フェンダーライナーにおいて奏される上記した優れた作用・効果と実質的に同一の作用・効果が、極めて有効に享受され得るのである。
【図面の簡単な説明】
【００２０】
【図１】本発明に従う車両用フェンダーライナーの一実施形態を示す平面説明図である。
【図２】図１におけるII矢視説明図である。
【図３】図２のIII−III断面における端面拡大説明図である。
【図４】図２のIV矢視における部分拡大説明図である。
【図５】本発明に従う構造を有する車両用フェンダーライナーであって、フェンダーライナー本体のホイールアーチ部に設けられる貫通孔の大きさやピッチは同じであるものの、振動膜部の大きさが互いに異なる３種類のものの吸音特性をそれぞれ示すグラフである。
【図６】本発明に従う構造を有する車両用フェンダーライナーであって、振動膜部の大きさは同じであるものの、フェンダーライナー本体のホイールアーチ部に設けられる貫通孔の大きさやピッチが互いに異なる４種類のものの吸音特性をそれぞれ示すグラフである。
【図７】車両用フェンダーライナーの別の形態を示す図３に対応する図である。
【発明を実施するための形態】
【００２１】
以下、本発明を更に具体的に明らかにするために、本発明の構成について、図面を参照しつつ、詳細に説明することとする。
【００２２】
先ず、図１及び図２には、本発明に従う構造を有する車両用外装品の一実施形態としての自動車のフェンダーライナーが、その平面形態と側面形態とにおいて、それぞれ示されている。それら図１及び図２から明らかなように、本実施形態のフェンダーライナー１０は、フェンダーライナー本体１２と薄膜状のシート部材１４とを有している。
【００２３】
より詳細には、フェンダーライナー本体１２は、略円弧状を呈するホイールアーチ部１６と、このホイールアーチ部１６の長さ方向両端部に、それぞれ一体形成されたフランジ部１８，１８とを有する樹脂製パネルにて、構成されている。ここでは、かかるフェンダーライナー本体１２が、高密度ポリエチレン等の剛性の大きな樹脂材料を用いて形成されている。これにより、フェンダーライナー本体１２に対して、フェンダーライナー１０が装着された自動車の走行時に生ずる風圧等によって変形しない十分な剛性と、タイヤが跳ね上げる小石等の衝突により損傷しない十分な強度とが、付与されている。なお、このようなフェンダーライナー本体１２は、例えば、高密度ポリエチレン材料を用いて押出成形された樹脂パネル（樹脂シート）に対して真空成形や圧空成形を行うことによって、或いはそのような樹脂パネルを加熱して、圧縮成形すること等によって、容易に成形されるものである。
【００２４】
また、図３及び図４に示されるように、フェンダーライナー本体１２のホイールアーチ部１６には、それを厚さ方向に貫通する多数の貫通孔２０が、形成されている。それら多数の貫通孔２０は、ホイールアーチ部１６の長さ方向と幅方向とに略一定の間隔を隔てて、縦横に並んで位置するように配置されている。そして、本実施形態では、各貫通孔２０が、全て、同一径の円筒状内周面を有している。また、ホイールアーチ部１６が一定の厚さとされていることによって、各貫通孔２０の軸方向長さが全て同一長さとされている。
【００２５】
そして、そのような多数の貫通孔２０を有するホイールアーチ部１６が、図示しない自動車の車体の一部を構成する前輪又は後輪のホイールハウス内に、タイヤを上側から覆うように配置された状態で、フランジ部１８，１８が、ホイールハウスの前後に位置する車体部分に固定されることによって、フェンダーライナー本体１２が車体に装着されるようになっている。かくして、タイヤが跳ね上げる小石や泥水、氷雪等の車体内部への侵入が、フェンダーライナー本体１２にて防止されて、車体が保護されるようになっているのである。なお、図１及び図２中、２２は、フランジ部１８，１８を車体に固定するためのボルトの挿通孔である。
【００２６】
一方、シート部材１４は、図１及び図２に示されるように、フェンダーライナー本体１２におけるホイールアーチ部１６の上面（タイヤ側とは反対側の面）の大部分を覆い得る大きさと、ホイールアーチ部１６よりも薄い肉厚とを有する樹脂シートからなっている。本実施形態では、かかるシート部材１４の形成材料として、例えば、ポリプロピレンやポリエチレン等の樹脂材料が用いられている。そのような樹脂材料からなるシート部材１４が十分に薄肉とされていることによって、シート部材１４全体に対して、十分な可撓性乃至は弾性、若しくは柔軟性が付与されている。なお、シート部材１４の形成材料には、発泡ポリプロピレンや発泡ポリエチレン等の樹脂発泡体や、ゴム材料やエラストマ材料等、或いはそれらの発泡体等も使用可能である。シート部材１４が発泡体にて形成される場合には、シート部材１４に対して、それをホイールアーチ部１６よりも薄肉とすることなしに、十分な可撓性乃至は弾性、若しくは柔軟性が付与されることとなる。
【００２７】
また、図３及び図４に示されるように、シート部材１４は、その一方の面において開口する多数の凹部２４と、それら多数の凹部２４を相互に連結する平板状の連結部２６とにて、構成されている。そして、それら多数の凹部２４が、互いに同じ大きさの矩形形状を呈している。即ち、各凹部２４は、矩形の底部と長手矩形の四つの側壁部とを有しており、その底部が薄肉の振動膜部２８とされている一方、四つの側壁部が、それぞれ、振動膜部２８を支持する支持部３０とされている。そして、そのような凹部２４の多数のものが、互いに一定の間隔を隔てて縦横に並んで配置され、また、それら縦横に隣り合う凹部２４の互いに対向する支持部３０の開口側端部同士が、連結部２６により一体的に連結されているのである。
【００２８】
なお、本実施形態では、多数の凹部２４のそれぞれの振動膜部２８が、互いに同じ厚さ及び大きさとされており、各支持部３０も、互いに同じ厚さ及び大きさとされている。また、振動膜部２８と支持部３０とが、互いに同一の厚さとされている。このようなシート部材１４は、例えば、上記に例示の樹脂材料を用いた射出成形を行うことによって容易に成形される。また、そのような樹脂材料製のシートに対して真空成形や圧空成形を行うことによって、或いはかかる樹脂シートを加熱して、圧縮成形すること等によっても、容易に成形される。
【００２９】
そして、図２乃至図４に示されるように、シート部材１４の連結部２６が、各凹部２４の開口側の面において、フェンダーライナー本体１２のホイールアーチ部１６の上面に重ね合わされている。また、多数の凹部２４のそれぞれが、フェンダーライナー本体１２のホイールアーチ部１６に設けられた多数の貫通孔２０の一個一個に対応配置されて、それら各凹部２４の開口部が、ホイールアーチ部１６の上面にて閉鎖されている。そして、そのような状態下で、連結部２６が、ホイールアーチ部１６の上面に対して、溶着乃至は接着等により全部もしくは部分的に接合されており、以て、シート部材１４が、ホイールアーチ部１６の上面に固着されている。
【００３０】
これによって、フェンダーライナー本体１２におけるホイールアーチ部１６の上面側に、空気室３２が、シート部材１４の各凹部２４における振動膜部２８及び四つの支持部３０，３０，３０，３０と、各凹部２４の開口部を閉塞するホイールアーチ部１６部分とにて囲まれて、多数形成されている。また、それら多数の空気室３２は、同一の容積と互いに独立した形態を有している。そして、そのような多数の空気室３２が、多数の貫通孔２０の一個一個に対応して配置されており、以て、各空気室３２が、それに対応する貫通孔２０を通じて外部に連通している。なお、多数の空気室３２のそれぞれの容積は、必ずしも同一とされている必要はない。
【００３１】
かくして、本実施形態のフェンダーライナー１０には、空気室３２を共鳴室とし、且つ貫通孔２０を共鳴室の開口部としたヘルムホルツ型共鳴器３４が、多数の凹部２４の一個一個に対応して、多数形成されている。そして、図１乃至図４に示されるように、そのような多数のヘルムホルツ型共鳴器３４が、各貫通孔２０からなる開口部のそれぞれを、フェンダーライナー本体１２のホイールアーチ部１６の下面において開口させた状態、つまり、フェンダーライナー１０の自動車への装着状態下でのタイヤ側に開口させた状態で、ホイールアーチ部１６の略全体に分散して配置されている。また、ここでは、各貫通孔２０の径や、一個の空気室３２を外部に連通させる貫通孔２０の数（ここでは一個）を決定する各貫通孔２０のピッチ等が、所定の大きさに設定されて、各ヘルムホルツ型共鳴器３４の共鳴周波数（共振周波数）が、例えば、タイヤと路面との接触によって生ずるパターンノイズの周波数と一致するようにチューニングされている。これによって、タイヤから発せられるパターンノイズ等の騒音が、車体に装着されたフェンダーライナー１０の多数のヘルムホルツ型共鳴器３４の空気室３２内の空気の共鳴により、運動エネルギー、更には熱エネルギーに変換されて、吸収され得るようになっているのである。なお、シート部材１４の連結部２６をホイールアーチ部１６の上面に固着した状態下において、それら連結部２６とホイールアーチ部１６との間に多少の隙間が生じている場合（連結部２６がホイールアーチ部１６の上面に対して部分的に固着されている場合）には、各空気室３２が、各貫通孔２０だけでなく、連結部２６とホイールアーチ部１６との間の隙間を通じても、外部に連通することとなるが、そのような多少の隙間が存在していても、各ヘルムホルツ型共鳴器３４による吸音作用は、有効に発揮される。
【００３２】
また、図３に示されるように、シート部材１４がフェンダーライナー本体１２のホイールアーチ部１６上面に固着された状態下では、各凹部２４の可撓性乃至は弾性、柔軟性を有する振動膜部２８が、ホイールアーチ部１６の上面から各支持部３０の高さ分だけ離間した位置において、各支持部３０にて支持されている。これによって、各振動膜部２８が、ホイールアーチ部１６の上面に対して、各支持部３０（及び連結部２６）を介して、振動可能に固着されている。また、ここでは、各振動膜部２８を支持する支持部３０も、可撓性乃至は弾性、柔軟性を有し、且つ他部材と非接触とされていることで、振動可能とされている。
【００３３】
かくして、本実施形態では、振動体の共振によって吸音作用を発揮する振動型吸音器３６が、シート部材１４の多数の振動膜部２８とそれらをそれぞれ支持する多数の支持部３０とにて、多数の凹部２４の一個一個に対応して、多数形成されている。そして、図１及び図２に示されるように、そのような多数の振動型吸音器３６が、それぞれの振動膜部２８と支持部３０とを、フェンダーライナー本体１２のホイールアーチ部１６上面側に振動可能に位置させた状態、つまり、フェンダーライナー１０の自動車への装着状態下でのエンジンルーム側に振動可能に位置させた状態で、ホイールアーチ部１６の略全体に分散して配置されている。また、ここでは、各振動膜部２８の厚さや大きさ、或いは各支持部３０の厚さや高さ等が、所定の大きさに設定されて、各振動型吸音器３６の共振周波数が、例えば、エンジンルーム内から伝わるエンジン音の周波数と一致するようにチューニングされている。これによって、自動車への装着状態下でエンジンルーム内のエンジンから発せられるエンジン音等が、多数の振動型吸音器３６の振動膜部２８の共振により、或いはそれに加えて、各支持部３０の共振により、運動エネルギー、更には熱エネルギーに変換されて、吸収され得るようになっているのである。このことから明らかなように、本実施形態では、シート部材１４にて、膜状又は板状の振動体が構成されている。
【００３４】
このように、本実施形態のフェンダーライナー１０では、フェンダーライナー本体１２のホイールアーチ部１６を間に挟んで上側に位置するエンジンルーム内から伝わる所定の周波数領域のエンジン音が、多数の振動型吸音器３６によって吸収される一方、ホイールアーチ部１６の下側に位置するタイヤから伝わる、エンジン音とは異なる周波数領域のパターンノイズ等が、多数のヘルムホルツ型共鳴器３４によって吸収され得る。
【００３５】
しかも、振動型吸音器３６は、例えば、振動膜部２８の厚さや大きさ（面積）、或いは振動膜部２８を構成するシート部材１４の材質等を適宜に変更することによって、振動膜部２８の共振周波数（固有振動数）が容易に且つ任意に変更可能となっている。また、ヘルムホルツ型共鳴器３４も、例えば、貫通孔２０の大きさや長さ、或いは一個の空気室３２を外部に連通させる貫通孔２０の数等を適宜に変更することによって、共鳴周波数が容易に且つ任意に変更できる。それ故、それら振動型吸音器３６とヘルムホルツ型共鳴器３４のそれぞれにおいて、様々な周波数領域の吸音特性を互いに独立して、容易に発揮させることができる。
【００３６】
また、本実施形態のフェンダーライナー１０においては、フェンダーライナー本体１２が、風圧等の外力によって変形することのない剛性と、小石等の衝突によって損傷することのない強度とを有している。それ故、自動車への装置箇所が、風圧等の外力の影響が小さな後輪側のホイールハウス内等に限定されることがない。
【００３７】
さらに、本実施形態のフェンダーライナー１０では、フェンダーライナー本体１２の下面側に、特別な部材が何等設けられておらず、十分な剛性や強度を有するフェンダーライナー本体１２の下面が外部に露呈された状態となっている。このため、例えば、不織布等からなる吸音材を、フェンダーライナー本体１２の下面と上面の両方に固着する構造を採用する場合に比して、部品点数が少なく、また、かかる構造を採用する場合とは異なって、フェンダーライナー本体１２の下面に固着される吸音材に対する特別な表面加工を行う必要がない。
【００３８】
従って、かくの如き本実施形態に係るフェンダーライナー１０にあっては、その上面と下面とにおいて、互いに異なる周波数領域の吸音特性が、それぞれ高度に発揮され得るのであり、また、上面側と下面側のそれぞれの吸音特性が、容易にチューニング可能となっている。しかも、そのような優れた吸音特性を発揮する構造が、自動車への装着個所に制限が加えられることもなしに、簡略な製作工程で、しかも低コストに実現され得るのである。
【００３９】
また、かかるフェンダーライナー１０では、シート部材１４に多数の凹部２４が設けられて、それら多数の凹部２４によって、互いに独立した多数の空気室３２及び多数の振動型吸音器３６が形成されていると共に、フェンダーライナー本体１２に多数の貫通孔２０が設けられて、それら多数の貫通孔２０と互いに独立した多数の空気室３２とにて、多数のヘルムホルツ型共鳴器３４が形成されている。これによって、エンジン音やパターンノイズ等が、より確実に吸収され得る。
【００４０】
しかも、本実施形態のフェンダーライナー１０においては、単に、多数の凹部２４を有する一枚の樹脂シートからなるシート部材１４をフェンダーライナー本体１２の上面に固着するだけで、フェンダーライナー本体１２に対して、多数の振動型吸音器３６と多数のヘルムホルツ型共鳴器３４の空気室３２とが一挙に形成されるようになっている。これによっても、良好な製作性と優れた経済性とが確保され得る。
【００４１】
さらに、本実施形態のフェンダーライナー１０においては、シート部材１４が、フェンダーライナー本体１２のホイールアーチ部１６の上面に固着されているため、シート部材１４に対して、泥水や氷雪、小石等が接触乃至は衝突する等して、シート部材１４が損傷したり破損したりすることが未然に防止され得る。これによって、シート部材１４の優れた吸音特性が、長期に亘って安定的に確保され得る。また、フェンダーライナー本体１２のホイールアーチ部１６の下面が凹凸のない平滑面とされており、以て、フェンダーライナー本体１２に対するシート部材１４の固着によって空力抵抗が増大するようなことが、有利に回避され得る。
【００４２】
ここにおいて、本発明に従う構造を有する車両用フェンダーライナーが、前記した優れた特徴を有するものであることを確認するために、本発明者等によって実施された試験について、詳述する。
【００４３】
すなわち、先ず、高密度ポリエチレンを用いた押出し成形を行って、長手矩形状の樹脂プレートを７個成形した後、それら７個の樹脂プレートに対する真空成形をそれぞれ実施した。これにより、図１及び図２に示される如く、ホイールアーチ部とフランジ部とを一体的に有するフェンダーライナー本体を７個製造した。それら７個のフェンダーライナー本体の厚さは、何れも１．５ｍｍであった。
【００４４】
次に、７個のフェンダーライナー本体のうちの３個のもののホイールアーチ部に対して、直径が３．０ｍｍの円形の貫通孔を１５ｍｍのピッチで多数形成した。また、それとは別に、１個のフェンダーライナー本体のホイールアーチ部に対して、直径が３．０ｍｍの円形の貫通孔を１０ｍｍのピッチで多数形成した。更に、別の１個のフェンダーライナー本体のホイールアーチ部に対して、直径が３．０ｍｍの円形の貫通孔を２０ｍｍのピッチで多数形成した。また、更に他の１個のフェンダーライナー本体のホイールアーチ部に対して、直径が２．０ｍｍの円形の貫通孔を１５ｍｍのピッチで多数形成した。更に、残りの１個のフェンダーライナー本体のホイールアーチ部に対して、直径が４．０ｍｍの円形の貫通孔を１５ｍｍのピッチで多数形成した。
【００４５】
一方、発泡性のポリプロピレンを用いた押出し成形を行って、厚さが４．０ｍｍの薄肉の樹脂発泡シートを７枚成形した。その後、７枚の樹脂発泡シートのうちの５枚に対して真空成形を行って、図１及び図２に示されるように、矩形の凹部を多数有するシート部材を５枚得た。それら５枚のシート部材においては、各凹部の底部からなる振動膜部の幅を４０ｍｍ、長さを４０ｍｍとした。また、各凹部の側壁部からなる支持部の高さを１５ｍｍとした。
【００４６】
また、それとは別に、残りの２枚の樹脂発泡シートに対しても真空成形を行って、多数の凹部のそれぞれの大きさが、互いに異なり、また、上記５枚のシート部材の各凹部の大きさとも異なる２枚のシート部材を得た。それら２枚のシート部材うちの１枚のものの振動部の幅を２０ｍｍ、その長さを２０ｍｍとし、支持部の高さを７．５ｍｍとした。残りの１枚のシート部材の振動部の幅を９０ｍｍ、その長さを９０ｍｍとし、支持部の高さを２５ｍｍとした。
【００４７】
そして、上記のようにして得られた７個のフェンダーライナー本体と７枚のシート部材とを用いて、各フェンダーライナー本体のホイールアーチ部の上面に、シート部材をそれぞれ１枚ずつ接着した。これにより、図１乃至図４に示される如き構造を有し、且つ振動膜部の幅及び長さと支持部の高さと貫通孔の径及びピッチが下記表１に示される寸法とされた７個のフェンダーライナー（供試品１〜７）を得た。
【００４８】
【表１】
0005547564.tif 000002
【００４９】
次に、供試品１〜３のフェンダーライナーと、音響箱（日本自動車部品総合研究所製）とを用いて、公知の手法により、各フェンダーライナーの上側から伝わる音に対する吸音特性（音の周波数と吸音量との関係）を調べた。その結果を図５に併せて示した。
【００５０】
また、それとは別に、共振品４〜７のフェンダーライナーと、音響箱（日本自動車部品総合研究所製）とを用いて、公知の手法により、各フェンダーライナーの下側から伝わる音に対する吸音特性（音の周波数と吸音量との関係）を調べた。その結果を図６に併せて示した。
【００５１】
図５から明らかなように、貫通孔の大きさやピッチを一定にした上で、シート部材の凹部の振動膜部の幅及び長さや支持部の高さを適宜に変更することによって、上側から伝わる音に対する吸音量がピークとなる音の周波数領域を変化させることができる。また、図６から明らかなように、シート部材の凹部の振動膜部の幅及び長さと支持部の高さとを一定にした上で、貫通孔の大きさやピッチを適宜に変更することによって、下側から伝わる音に対する吸音量がピークとなる音の周波数領域を変化させることができる。これは、本発明に従う構造を有する車両用外装品が、一方の面と他方の面とにおいて、互いに異なる周波数領域の吸音特性をそれぞれ高度に発揮し得ることを如実に示している。
【００５２】
以上、本発明の具体的な構成について詳述してきたが、これはあくまでも例示に過ぎないのであって、本発明は、上記の記載によって、何等の制約をも受けるものではない。
【００５３】
例えば、前記実施形態では、フェンダーライナー本体１２のホイールアーチ部１６に対して、振動型吸音器３６とヘルムホルツ型共鳴器３４とが、それぞれ多数形成されていたが、それら振動型吸音器３６とヘルムホルツ型共鳴器３４の個数は、特に限定されるものではなく、例えば、振動型吸音器３６とヘルムホルツ型共鳴器３４の１個１個の大きさやホイールアーチ部１６の大きさ等に応じて、適宜に決定され得るところである。従って、フェンダーライナー本体１２に形成される振動型吸音器３６とヘルムホルツ型共鳴器３４は、それぞれ１個であっても、複数個であっても良いのである。また、振動型吸音器３６とヘルムホルツ型共鳴器３４とが、必ずしも同数である必要もない。
【００５４】
フェンダーライナー本体１２のホイールアーチ部１６に対して、振動型吸音器３６とヘルムホルツ型共鳴器３４とを複数個ずつ設ける場合にあっても、例えば、凹部２４を１個ずつ又は複数個ずつ有する幾つかのシート部材１４を用い、それらを、フェンダーライナー本体１２のホイールアーチ部１６に固着して、振動型吸音器３６とヘルムホルツ型共鳴器３４とを、それそれ複数個ずつ形成するようにしても、何等差し支えない。
【００５５】
フェンダーライナー本体１２に設けられて、空気室３２を外部に連通する貫通孔２０は、１個の空気室３２に対して複数個設けられていても良い。また、それら複数の貫通孔２０のフェンダーライナー本体１２への配置形態は、適宜に変更され得る。更に、複数の貫通孔２０の全てのものにおいて、或いはそれらのうちの一部のものにおいて、大きさや形状、軸方向長さ等が互いに異なっていても、何等差し支えない。
【００５６】
振動膜部２８の形状も、例示された矩形状に何等限定されるものではなく、円形や楕円形、矩形以外の多角形形状、無定形状であっても良い。また、振動型吸音器３６が複数設けられる場合には、それら複数の振動型吸音器３６の全ての振動膜部２８、或いは一部の振動膜部２８において、形状や大きさ、厚さ等が、互いに異なっていても何等差し支えない。なお、前記実施形態では、振動体としての振動膜部２８が、薄膜部材にて構成されていたが、外装品本体たるフェンダーライナー本体１２の一方の面側に位置する音源から発せられる音の周波数に共振するものであれば、振動体が、膜部材よりも厚肉の板状体にて構成されていても良い。
【００５７】
振動型吸音器３６とヘルムホルツ型共鳴器３４のそれぞれの具体的構造も、前記実施形態に示されるものに、特に限定されるものではない。例えば、図７に示されるように、フェンダーライナー本体１２のホイールアーチ部１６に上方に向かって開口する複数の凹部２４を設けると共に、それら各凹部２４の底部に貫通孔２０を形成する。そして、薄肉平板状のシート部材１４を、各凹部２４の上方への開口部を閉塞するように、ホイールアーチ部１６の上面に重ね合わせて、固着する。これによって、各凹部２４と、それらを閉塞するシート部材１４部分のそれぞれとにて、貫通孔２０を通じて下方に開口して、外部に連通する空気室３２を形成する。また、それと共に、各凹部２４を閉塞するシート部材１４部分を、各凹部２４の側壁部からなる支持部３０にて振動可能に支持させて、振動膜部２８として、構成する。
【００５８】
かくして、ヘルムホルツ型共鳴器３４を、ホイールアーチ部１６の凹部２４と、振動体としてのシート部材１４とにて囲まれてなる空気室３２と、ホイールアーチ部１６の凹部２４の底部に設けられた貫通孔２０とにて形成し、また、振動型吸音器３６を、ホイールアーチ部１６の凹部２４の側壁部からなる支持部３０と、かかる凹部２４の開口部を閉塞するシート部材１４部分からなる振動膜部２８とにて形成することもできるのである。
【００５９】
加えて、前記実施形態では、本発明を、自動車のフェンダーライナーと自動車の吸音構造にそれぞれ適用した具体例が示されていたが、本発明は、自動車用或いは自動車を除く車両用のフェンダーライナー以外の外装品の何れに対しても、また自動車以外の車両の吸音構造の何れに対しても、有利に適用され得ることは、勿論である。
【００６０】
その他、一々列挙はしないが、本発明は、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることは、言うまでもないところである。
【符号の説明】
【００６１】
１０  フェンダーライナー              １２  フェンダーライナー本体
１４  シート部材                      ２０  貫通孔
２４  凹部                            ２８  振動膜部
３０  支持部                          ３２  空気室
３４  ヘルムホルツ型共鳴器            ３６  振動型吸音器
【図１】
0005547564.tif 000003
【図２】
0005547564.tif 000004
【図３】
0005547564.tif 000005
【図４】
0005547564.tif 000006
【図５】
0005547564.tif 000007
【図６】
0005547564.tif 000008
【図７】
0005547564.tif 000009